(57)【要約】【課題】操作部等による設定が終了すると、操作部が接続されていなくても独自に重量選別機を動作させる。【解決手段】重量選別機本体３では、ベルトコンベヤ４によって搬送される物品の重量をロードセル６が測定する。重量選別機本体３を、運転パラメータに従って運転制御部８が運転制御する。例えばベルトコンベヤ４の速度や選別するための基準値と計量信号とを比較する。重量選別機本体３及び運転制御部８と別個に設けられたパーソナルコンピュータ２６が、運転パラメータを運転制御部８に設定する。運転制御部８は、運転パラメータを設定後には、パーソナルコンピュータ２６から独立して重量選別機本体３を運転制御する。【選択図】        図１
2004160289.tif 000002
【特許請求の範囲】
【請求項１】
搬送手段と、この搬送手段によって搬送される物品の重量を測定する計量手段とを含む重量選別機本体と、
この重量選別機本体を、運転パラメータに従って運転制御する運転制御手段と、
前記重量選別機本体及び前記運転制御手段と別個に設けられ、前記運転パラメータを前記運転制御手段に設定する操作手段とを、
有し、前記運転制御手段は、前記運転パラメータを設定後には、前記操作手段から独立して前記重量選別機本体を運転制御する重量選別機。
【請求項２】
請求項１記載の重量選別機において、前記運転制御手段は、前記運転パラメータを記憶する記憶手段を有し、前記操作手段と非通信状態において、前記記憶手段に記憶された前記運転パラメータに従って運転制御を行う重量選別機。
【請求項３】
請求項１記載の重量選別機において、前記重量選別機本体及び前記運転制御手段それぞれが複数台設けられ、前記操作手段は、前記複数台の運転制御手段に対して１台設けられ、前記各運転制御手段は、前記運転パラメータを前記操作手段から受信後には、前記操作手段から独立して、対応する前記重量選別機本体を運転制御する重量選別機。
【請求項４】
搬送手段と、この搬送手段によって搬送される物品の重量を測定する計量手段とを有する複数台の重量選別機本体と、
この重量選別機本体の運転パラメータを記憶する記憶手段と、前記重量選別機本体の運転開始及び運転停止指示手段とを有し、前記運転開始及び停止指示手段から運転開始が指示されたとき、前記運転パラメータに従って前記重量選別機本体を運転制御し、前記運転開始及び停止指示手段から運転停止が指示されたとき前記重量選別機本体の運転制御を停止する運転制御手段と、
前記重量選別機本体及び前記運転制御手段とは別個に設けられ、前記運転制御手段と通信状態及び非通信状態のいずれかの状態とされ、前記通信状態において、前記運転パラメータを前記運転制御手段に設定可能で、かつ前記運転開始及び停止指示手段とは別個に、前記運転制御手段に前記運転開始及び運転停止指示を送出可能な操作手段とを、
有し、
前記運転制御手段の記憶手段は、前記運転停止が指示されたとき、そのときの前記運転パラメータを記憶し、前記運転制御手段は、前記操作手段と非通信状態において、前記運転開始及び停止指示手段から運転開始の指示を受けたとき、前記記憶手段の運転パラメータに従って前記重量選別機本体を運転制御する
重量選別機。
【請求項５】
請求項４記載の重量選別機において、前記重量選別機本体及び前記運転制御手段それぞれが複数台設けられ、前記操作手段は、前記複数台の運転制御手段に対して１台設けられている重量選別機。
【請求項６】
請求項４記載の重量選別機において、前記運転制御手段は、前記重量選別機本体の運転状態を表す運転データを記憶しており、前記操作手段と通信状態において、前記操作手段に前記運転データを送信し、前記操作手段は、前記送信された運転データを少なくとも出力、集計する運転管理手段を備えている重量選別機。
【請求項７】
請求項５記載の重量選別機において、前記各運転制御手段は、対応する前記重量選別機本体の運転状態を表す運転データを記憶しており、前記操作手段は、前記各運転制御手段と個別に通信状態となり、各通信状態において各運転制御手段から個別に前記各運転データを受信し、前記受信した各運転データを少なくとも表示、集計する運転管理手段を備えている重量選別機。
【発明の詳細な説明】
【０００１】
【発明の属する技術分野】
本発明は、重量選別機に関し、特に、運転パラメータの設定等を行う操作部に関する。
【０００２】
【従来の技術】
重量選別機は、搬送中の物品を計量し、その計量値を基準重量値と比較して、その比較結果に基づいて当該物品を振り分けるもので、物品の生産ライン中に設けられる。この重量選別機において、物品として食料品を扱う場合、異物が混入しないようにする必要がある。重量選別機の近辺に人が存在することが異物混入の原因の一つとなる。そこで、人がなるべく重量選別機の近傍にいる必要がないように、重量選別機の操作を、重量選別機本体から離れた位置で行うことが望まれる。そのため、重量選別機本体とは離れた位置に、操作部が設けられる。
【０００３】
しかし、この場合、重量選別機本体の調整や修理が面倒になる。即ち、重量選別機本体の位置と、操作部の位置とにそれぞれ作業員が配置され、電話やトランシーバーで連絡を取りながら、調整や修理を行わなければならない。この点を改善したものとして特許文献１がある。
【０００４】
【特許文献１】
特開平７−４３１９４号公報
【０００５】
特許文献１では、計量装置と、この計量装置とは離れて包装機を配置している。計量装置と包装機との動作を制御する制御部を包装機のそばに固定して設け、通常の状態では、制御部に操作部を接続して計量装置と包装機との作動条件の設定を行う。計量装置のそばで調整を行うことが望ましい作動条件を設定する場合には、計量装置のそばに制御部と接続されたコネクタを設け、このコネクタに操作部に接続することによって、計量装置の作動条件を設定する。また、この操作部から計量装置や包装機の運転開始や停止の指示も制御部に与えられている。
【０００６】
【発明が解決しようとする課題】
しかし、特許文献１の技術では、計量装置と包装機とからなる１つのシステムに対して１つの操作部を設けなければならず、コストアップとなる。例えば、通信システムを利用して、複数の上記システムに対して１台の操作部を共通に使用することも考えられる。この場合、１台の操作部で、複数台のシステムの設定、運転及び停止の処理を行うので、操作部の負担が大きくなる。
【０００７】
本発明は、操作部等による設定が終了すると、操作部が接続されていなくても独自に動作する重量選別機を提供することを目的とする。
【０００８】
【課題を解決するための手段】
本発明の一態様による重量選別機は、重量選別機本体を有している。この重量選別機本体は、物品を搬送する搬送手段と、この搬送手段によって搬送される物品の重量を測定する計量手段とを備えている。これら以外に、選別された物品を振り分ける振り分け手段を備えることもある。この重量選別機本体を、運転パラメータに従って運転制御手段が運転制御する。運転制御手段は、例えば運転パラメータによって指定された速度で、搬送手段を搬送させたり、計量手段からの計量信号を、予め定めた基準重量（単数の場合も複数の場合もある）と比較して、選別したり、その選別結果に従って、上記振り分け手段を制御して、物品を振り分ける。これら重量選別機本体及び運転制御手段と別個に操作手段が設けられている。この操作手段は、運転パラメータを運転制御手段に設定する。操作手段としては、携帯可能なものとすることが望ましく、運転パラメータの設定を行う場合には、運転制御手段の近傍において行うことが望ましい。運転制御手段は、運転パラメータを設定後には、操作手段から独立して重量選別機本体を運転制御する。
【０００９】
このように構成すると、操作手段によって運転パラメータを設定した後には、運転制御手段が、独自に重量選別機本体を運転制御する。従って、同じ構成の他の重量選別機の運転制御手段への運転パラメータの設定に操作手段を使用することができ、複数台の重量選別機に対して１台の操作手段を共通に使用することができる。また、運転パラメータの設定後には、操作手段を運転制御手段の近傍に設置しておく必要がないので、重量選別機の近傍に人が常駐する必要が無く、物品に異物が混入する機会が減少する。
【００１０】
運転制御手段には、運転パラメータを記憶する記憶手段を設けることができる。この場合、運転制御手段は、操作手段と非通信状態において、記憶手段に記憶された運転パラメータに従って運転制御を行う。このように構成すると、操作手段が他の重量選別機の運転パラメータの設定等を行っていて、通信ができない状態であっても、この重量選別機は独自に運転制御される。
【００１１】
また、重量選別機本体及び運転制御手段それぞれを複数台設けることができる。この場合、操作手段は、複数台の運転制御手段に対して１台設けられる。各運転制御手段は、運転パラメータを操作手段から受信後には、操作手段から独立して、対応する重量選別機本体を運転制御する。このように構成すると、１台の操作手段によって、複数台の運転制御手段に対して運転パラメータを設定することができ、コストアップを招くことはない。なお、各運転制御手段に運転パラメータの設定が終了した後には、各運転制御手段及び各重量選別機本体から離れた位置に、前記操作手段を配置し、この操作手段を各運転制御手段と通信可能として、各運転制御手段から、重量選別機本体の運転状態を表す運転データを取得し、これを表示、集計するようにして、１台の操作手段によって複数台の重量選別機の遠隔管理を行うようにすることもできる。
【００１２】
本発明の他の態様も、上述した態様におけると同様な重量選別機本体を有している。更に、この態様は、運転制御手段を有している。この運転制御手段は、  この重量選別機本体の運転パラメータを記憶する記憶手段と、重量選別機本体の運転開始及び運転停止指示手段とを、有している。また、運転制御手段は、運転開始及び停止指示手段から運転開始が指示されたとき、運転パラメータに従って重量選別機本体を運転制御し、運転開始及び停止指示手段から運転停止が指示されたとき、重量選別機本体の運転制御を停止する。重量選別機本体及び運転制御手段とは別個に操作手段が設けられている。この操作手段は、運転制御手段に対し通信状態及び非通信状態のいずれかの状態とされる。通信状態において、操作手段は、運転パラメータを運転制御手段に設定可能で、かつ前記運転開始及び停止指示手段とは別個に、前記運転制御手段に前記運転開始及び運転停止指示を送出可能である。運転制御手段の記憶手段は、運転停止が指示されたとき、そのときの運転パラメータを記憶し、運転制御手段は、操作手段と非通信状態において、運転開始及び停止指示手段から運転開始の指示を受けたとき、記憶手段の運転パラメータに従って前記重量選別機本体を運転制御する。
【００１３】
このように構成すると、運転制御手段は、操作手段と通信状態にあると、操作手段から運転パラメータが設定され、また運転の開始及び停止の指示が操作手段から与えられる。即ち、操作手段によって重量選別機は操作される。一方、運転停止の指示が与えられると、そのときの運転パラメータを記憶手段に記憶させるので、操作手段と運転制御手段が非通信状態であっても、運転開始及び停止指示手段によって運転開始の指示を与えると、記憶手段に記憶されている運転パラメータに従って重量選別機本体を、運転制御手段が運転制御する。即ち、運転制御手段が、独立して運転制御を行う。
【００１４】
重量選別機本体及び運転制御手段それぞれを複数台設けることもできる。この場合、操作手段は、複数台の運転制御手段に対して１台設けられている。このように構成すると、１台の操作手段によって複数台の運転制御手段に対して運転パラメータを設定することができるので、コストアップを招くことがない。また、操作手段が一台の運転制御手段に対して運転パラメータを設定しているとき、他の運転制御手段の記憶手段に運転パラメータが記憶されていれば、対応する重量選別機本体を独自に運転制御することができる。また、操作手段は、一台ずつの運転制御手段に運転パラメータの設定が行えるので、同時に多数の運転制御手段に運転パラメータを設定する場合と比較して、負担が少ない。
【００１５】
運転制御手段は、重量選別機本体の運転状態を表す運転データを記憶することができる。この場合、運転制御手段は、操作手段と通信状態において、操作手段に運転データを送信する。また、操作手段は、送信された運転データを少なくとも表示、集計する運転管理手段を備えている。このように運転データが送信される場合、操作手段は、運転制御手段及び重量選別機本体から離れた位置に配置しておくことが望ましい。このように運転データが操作手段に送信されるように構成すると、重量選別機の運転状態を管理することができ、特に運転制御手段及び重量選別機本体から離れた位置に操作手段を配置した場合には、遠隔管理が行える。
【００１６】
重量選別機本体及び運転制御手段を複数台設けた場合も、上記と同様に構成することができる。この場合、複数台の重量選別機の運転状態を管理することができる。
【００１７】
【発明の実施の形態】
本発明の１実施形態の重量選別機２は、図１に示すように、重量選別機本体３を備えている。重量選別機本体３は、搬送手段、例えば上面で物品を支持して搬送するコンベヤ、具体的にはベルトコンベヤ４を備えている。このベルトコンベヤ４には、計量手段、例えばロードセル６が取り付けられている。このロードセル６は搬入コンベヤ（図示せず）によってベルトコンベヤ４に搬入された物品（図示せず）を計量し、計量信号を発生する。ベルトコンベヤ４上を搬送された物品は、更に搬出コンベヤ（図示せず）によって搬送される。また重量選別機本体３は、図示していないが、搬出コンベヤ上において、後述する選別結果に従って物品を振り分ける振分装置も有している。
【００１８】
ロードセル６からの計量信号は、運転制御手段、例えば運転制御部８に供給される。運転制御部８では、計量信号は、入力回路１０を介して制御手段、例えばＣＰＵ１２に供給される。ＣＰＵ１２は、記憶手段、例えばメモリ１４に記憶されているプログラムに従って動作し、例えば、メモリ１４に予め記憶されている基準重量値と計量信号とを比較し、ベルトコンベヤ４上を搬送されている物品を振分装置によってどのように振り分けるかを判別し、その判別結果を出力回路１６を介して振分装置に供給する。
【００１９】
ベルトコンベヤ４上には、継続的に物品が搬入され、ＣＰＵ１２は、それら物品を１つずつ判別する。各物品の計量信号、選別結果等は、運転データとしてメモリ１４に記憶されている。
【００２０】
また、ＣＰＵ１２は、ベルトコンベヤ４の運転速度等も制御する。その設定された運転速度である設定運転速度もメモリ１４に記憶されている。これら基準重量値や設定運転速度が、重量選別機の運転パラメータの一部である。
【００２１】
運転制御部８は、電源スイッチ１８がオンされたとき、動作を開始し、電源スイッチ１８がオフされたとき、動作を停止する。また電源スイッチ１８がオンの状態で、運転開始及び停止指示手段、例えば運転スイッチ２０がオンされたことが入力回路１０を介してＣＰＵ１２に報知されたとき、ＣＰＵ１２は、ベルトコンベヤ、搬入コンベヤ及び搬出コンベヤの運転を開始し、運転スイッチ２０がオフされたことを入力回路１０を介して報知されたとき、ベルトコンベヤ、搬入コンベヤ及び搬出コンベヤの運転を停止する。各コンベヤが運転中に、非常停止押釦スイッチ２２がオンされたことを、入力回路１０を介してＣＰＵ１２が報知されると、各コンベヤを停止させる。なお、ＣＰＵ１２は、運転スイッチ２０がオフされたとき、そのとき使用していた運転パラメータをメモリ１４に記憶させる。
【００２２】
上記の運転パラメータは、通信部２４を介して操作手段、例えばパーソナルコンピュータ２６によって設定される。パーソナルコンピュータ２６には、携帯が可能なノート型が望ましい。パーソナルコンピュータ２６にも、通信部２８が設けられており、この通信部２８をネットワークを介して或いは直接に、運転制御部８の通信部２４に接続することによって、パーソナルコンピュータ２６と運転制御部８とは、通信可能な状態になる。通信部２４、２８は、例えばＲＳ２３２Ｃのようなプロトコールに従って、直接にパーソナルコンピュータ２６と運転制御部８とが通信することが可能である上に、例えばイーサネット（ｅｔｈｅｒｎｅｔ）（登録商標）やアークネット（ａｔｔａｃｈｅｄ  ｒｅｓｏｕｒｃｅ  ｃｏｍｐｕｔｅｒ  ｎｅｔｗｏｒｋ）のようなプロトコールに従って、複数台の運転制御部８がパーソナルコンピュータ２６と通信可能である。
【００２３】
パーソナルコンピュータ２６には、記録媒体、例えばＣＤ−ＲＯＭ３０に記憶されたプログラムがインストールされている。このプログラムは、パーソナルコンピュータ２６の表示装置に、操作設定表示制御画面３２を表示させ、この画面上で、パーソナルコンピュータ２６に付属するポインティングデバイスやキーボード等を操作することによって、運転制御部８のＣＰＵ１２に、運転データを設定したり、運転制御部８に運転開始指示及び運転停止指示を与えたり、ＣＰＵ１２から送られてきた運転データを出力（表示または印字）、集計したりする。即ち、運転パラメータの操作手段、運転の開始及び停止の制御手段並びに運転管理手段として、機能する。
【００２４】
図１は、重量選別機２とパーソナルコンピュータ２６とが１対１に通信部２６、２８を介して接続された場合を示している。これは、後述するように運転パラメータのうち重量選別機２の近傍において重量選別機２の動作状態を確認しながら設定することが望ましいもの、例えばベルトコンベヤ４の運転速度を設定する場合に使用される。また、１台のパーソナルコンピュータ２６によって、複数の重量選別機２の運転制御や運転管理を行う場合には、図２に示すように、運転制御部８の通信部２４とパーソナルコンピュータ２６の通信部２８とでネットワークを構成して、パーソナルコンピュータ２６がそれぞれの運転制御部８と通信可能にする。この場合、パーソナルコンピュータ２６は、各重量選別機２とは離れた位置に設置する。即ち遠隔制御を行う。なお、パーソナルコンピュータ２６と各運転制御部８との通信は、図２に示したものの他に、図３に示すように、ＲＳ２３２Ｃ等の信号を切り換えるマルチチェンジャ３４を使用して、行うこともできる。
【００２５】
重量選別機２の運転制御部８では、電源スイッチ１８がオンされたとき、メモリ１８に記憶されている運転パラメータがＣＰＵ１２に読み込まれ、図４（ａ）に示すように、検知信号をパーソナルコンピュータ２６に送信する。このとき、パーソナルコンピュータ２６が運転制御部８に応答信号を返すと、運転制御部８は、パーソナルコンピュータ２６の指示に従って動作する。即ち、通信状態において同図（ｂ）に示すように、パーソナルコンピュータ２６から運転パラメータが設定されると、それを受けてメモリ１４に記憶させ、書き込み完了信号をパーソナルコンピュータ２６に送信する。また、同図（ａ）に示すようにパーソナルコンピュータ２６から運転開始指示が与えられると、メモリ１４に記憶された運転パラメータに従って重量選別機２の運転を開始する。パーソナルコンピュータ２６から運転停止指示が与えられると、運転を停止する。同図（ｃ）に示すように、パーソナルコンピュータ２６から運転データ送出指示が与えられると、運転制御部８は、運転データをパーソナルコンピュータ２６に送出する。パーソナルコンピュータ２６では、この運転データを表示、集計、印字等する。
【００２６】
一方、同図（ｄ）に示すように、運転制御部８から検知信号をパーソナルコンピュータ２６に送信したときに、パーソナルコンピュータ２６からの応答信号を受信できなかったなら、運転制御部８は、運転スイッチ２０がオンされたとき、メモリ１４に記憶されている運転パラメータに従って重量選別機本体３を運転制御し、運転スイッチ２０がオフされると、重量選別機本体３の運転を停止させる。また、非常停止押釦スイッチ２２がオンされると、運転中であっても、即座に重量選別機本体３を停止させる。このように運転制御部８は、パーソナルコンピュータ２６と非通信状態では、独自に重量選別機本体３を制御する。
【００２７】
従って、例えばパーソナルコンピュータ２６が或る重量選別機２のそばに移動されて、その重量選別機２の運転制御部８と通信状態にあり、運転パラメータの設定を行っているような場合、他の重量選別機２の運転制御部８は、パーソナルコンピュータ２６とは非通信状態であり、パーソナルコンピュータ２６からの制御を受けることができない。しかし、メモリ１４には運転パラメータが記憶されているので、運転スイッチ２０の操作によって、パーソナルコンピュータ２６からの指示が無くても運転することができるし、緊急停止が必要な場合でも、独自に緊急停止が行える。
【００２８】
また、各重量選別機２が運転状態に入るときには、図２または図３に示すように各重量選別機２の運転制御部８とパーソナルコンピュータ２６とが接続され、パーソナルコンピュータ２６は、各運転制御部８のうち一台と通信可能であり、通信する運転制御部８を変更することが可能である。従って、パーソナルコンピュータ２６から所望の重量選別機２の運転制御部８に個別に運転開始、停止の指示を与えることで遠隔制御することができるし、また運転データの送信を要求することによって、遠隔管理を行うことができる。
【００２９】
図５及び図６は、上述した運転制御部８のＣＰＵ１２が行う処理をフローチャートで示したものである。図５に示すように、この処理は、電源スイッチ１８がオンされたことによって開始され、まずメモリ１４から前回に運転されたときの運転パラメータを読み込む（ステップＳ２）。次にパーソナルコンピュータ２６に対して検知信号を送出する（ステップＳ４）。パーソナルコンピュータ２６から応答信号があるか判断する（ステップＳ６）。
【００３０】
パーソナルコンピュータ２６から応答が無ければ、単独モードで処理することになるので単独モードにセットし（ステップＳ８）、重量選別機本体３が動作中であるか判断する（ステップＳ１０）。この判断は、例えば後述する運転中フラグがオンであるか否か判断することによって行える。運転中でないと判断されると、運転スイッチ２０がオンされているか判断する（ステップＳ１２）。運転スイッチがオンされていると判断されると、運転中フラグをオンとして（ステップＳ１４）、運転制御を行う（ステップＳ１６）。この運転制御には、メモリ１４に記憶されている運転パラメータが使用されている。ステップＳ１０において運転中であると判断されると、直ちにステップＳ１６が実行される。
【００３１】
ステップＳ１２において運転スイッチがオンでないと判断された場合、またはステップＳ１６の運転制御に続いて、運転スイッチ２０がオフであるか判断される（ステップＳ１８）。運転スイッチがオフであると判断されると、現在の運転パラメータをメモリ１４に記憶させ（ステップＳ２０）、重量選別機本体３の運転を停止し、かつ運転中フラグをオフとし（ステップＳ２２）、ステップＳ４に戻る。
【００３２】
電源がオンされて初めてステップＳ６が実行される場合であっても、単独モードで運転制御部８が動作した後にステップＳ６が実行される場合であっても、ステップＳ６の判断の答えがノーであると、図６に示すように、パーソナルコンピュータモードにセットし（ステップＳ２４）、パーソナルコンピュータ２６との通信を行う（ステップＳ２６）。
【００３３】
パーソナルコンピュータ２６からの通信の結果、重量選別機のオン、オフや運転パラメータの設定等を指示する制御コードを受信したか判断する（ステップＳ２８）。制御コードを受信していない場合には、図５に示すステップＳ１０以降を実行する。従って、運転制御部８に設けられている運転スイッチの操作に従って重量選別機２は運転されたり、停止されたりする。
【００３４】
ステップＳ２８において、制御コードを受信したと判断されると、その制御コードが重量選別機の運転のオン、オフを指示する運転オン、オフ制御コードであるか判断する（ステップＳ３０）。運転オン、オフ制御コードであると判断されると、ステップＳ１０と同様に重量選別機本体部３が運転中であるか判断する（ステップＳ３２）。運転中でないと判断されると、運転オン、オフ制御コードが運転オンコードであるか判断する（ステップＳ３４）。運転オンコードであると、運転中フラグをオンとし（ステップＳ３６）、運転制御を行う（ステップＳ３８）。
【００３５】
ステップＳ３８に続いて、或いはステップＳ３４において運転オンコードでないと判断されると、運転オフコードであるか判断する（ステップＳ４０）。運転オフコードであると、運転パラメータをメモリ１４に記憶し（ステップＳ４２）、運転を停止し、運転中フラグをオフとし（ステップＳ４４）、ステップＳ４を実行する。ステップＳ４０において運転オフコードでないと判断された場合も、ステップＳ４を実行する。
【００３６】
ステップＳ３０において、運転オン、オフ制御コードでないと判断されると、設定制御コードであるか判断する（ステップＳ４６）。設定制御コードであると判断されると、設定モード制御を実行する（ステップＳ４８）。設定モード制御では、パーソナルコンピュータ２６の操作によって、運転パラメータがメモリ１４に設定される。その後、ステップＳ４を実行する。
【００３７】
ステップＳ４６において、設定制御コードでないと判断されると、表示用データをパーソナルコンピュータ２６に発信する（ステップＳ５０）。即ち、計量信号、選別結果等をパーソナルコンピュータ２６に発信する。その後に、ステップＳ４を実行する。
【００３８】
上記の実施の形態では、パーソナルコンピュータ２６を操作手段として使用したが、これは、例えば重量選別機２を設置する工場等にある機器を使用するという観点及び、重量選別機２の遠隔制御や運転パラメータの設定だけでなく、他の処理にも使用可能で汎用性があるという観点から、使用したもので、重量選別機２専用の操作手段を使用することも可能である。
【００３９】
【発明の効果】
以上のように、本発明によれば、１台の操作手段が、他の重量選別機に対して運転パラメータの設定等を行っていても、他の重量選別機は、運転パラメータを記憶しており、その記憶している運転パラメータに従って独自に運転することができる。従って、複数台の重量選別機に対して１台の操作手段を共用することができる。しかも、各重量選別機からの運転データを１台の操作手段によって管理することができ、管理上の能率が向上し、設備も安価となる。
【図面の簡単な説明】
【図１】本発明の１実施形態の重量選別機とパーソナルコンピュータとの接続状態を示すブロック図である。
【図２】図１の重量選別機の複数台とパーソナルコンピュータとをネットワークによって接続した状態のブロック図である。
【図３】図１の重量選別機の複数台とパーソナルコンピュータとをマルチチェンジャを介して接続した状態のブロック図である。
【図４】図１の重量選別機とパーソナルコンピュータとの通信状態を示すブロック図である。
【図５】図１の重量選別機の動作フローチャートの一部を示す図である。
【図６】図１の重量選別機の動作フローチャートの残りの部分を示す図である。
【符号の説明】
２  重量選別機
３  重量選別機本体
８  運転制御部（運転制御手段）
１４  メモリ（記憶手段）
２６  パーソナルコンピュータ（操作手段）
【図１】
2004160289.tif 000003
【図２】
2004160289.tif 000004
【図３】
2004160289.tif 000005
【図４】
2004160289.tif 000006
【図５】
2004160289.tif 000007
【図６】
2004160289.tif 000008